(57)【要約】【課題】遊技場サイドの情報入力作業の手間が一切必要なく、したがって遊技場サイドの機種導入コストの上昇を招くことがなく、しかも公安委員会や遊技装置メーカーによる信頼性の高い機種の確認・把握作業を離れた場所からリアルタイムで行うことができる、新規な遊技場の機種構成把握システムを提供する。【解決手段】このシステムは、遊技装置１のメイン基板７に搭載されて、該遊技装置１に対応する機種識別コードおよび公安委員会の型式検定番号などの機種情報を格納するＲОＭ１２と、各遊技装置１を設置するための固定枠２に装着されて、遊技場のコードナンバーを格納するＲОＭ基板４６と、インターネット２５への接続機能を担う第１のインターフェイス２６と、前記遊技装置１のメイン基板７およびＲОＭ基板４６との接続機能を担う第２のインターフェイス２７とを備える情報収集用の端末装置５と、インターネット２５上に設置されて、端末装置５からの情報を受ける管理サーバー３０とで構成する。【選択図】図１
2006158714.tif 000002
【特許請求の範囲】
【請求項１】
遊技場に設置のパチンコ機やパチスロ機などの遊技装置（１）の機種構成を、インターネット（２５）を介して把握するためのシステムであって、
各遊技装置（１）のメイン基板（７）に搭載されて、該遊技装置（１）に対応する機種識別コードおよび公安委員会の型式検定番号などの機種情報を格納するＲОＭ（１２）と、
各遊技装置（１）を設置するための固定枠（２）に装着されて、遊技場のコードナンバーを格納するＲОＭ基板（４６）と、
インターネット（２５）への接続機能を担う第１のインターフェイス（２６）と、前記遊技装置（１）のメイン基板（７）およびＲОＭ基板（４６）との接続機能を担う第２のインターフェイス（２７）とを備える情報収集用の端末装置（５）と、
インターネット（２５）上に設置されて、前記端末装置（５）からの情報を受ける管理サーバー（３０）とで構成されており、
端末装置（５）は、メイン基板（７）のＲОＭ（１２）から機種情報を読み取るとともに、ＲОＭ基板（４６）から遊技場のコードナンバーを読み取り、これら読み取った情報をインターネット（２５）を介して管理サーバー（３０）に向けて送信するようにしてあることを特徴とする遊技場の機種構成把握システム。
【発明の詳細な説明】
【技術分野】
【０００１】
本発明は、各遊技場に設置のパチンコ機やパチスロ機などの遊技装置の機種構成を把握するためのシステムに関する。
【背景技術】
【０００２】
この種のシステムの公知例に特許文献１がある。そこでは、遊技場に設置の遊技装置毎に一台のコンピュータを配置し、これらコンピュータから通信端末に向けて機種特定情報を送信することで、通信端末で遊技場に設置の遊技装置の機種構成を把握できるようにしている。
【０００３】
【特許文献１】特開２０００−６５７４７号公報
【発明の開示】
【発明が解決しようとする課題】
【０００４】
上記のシステムの問題は、遊技装置に対応したコンピュータに、遊技場を特定するための情報だけでなく、遊技装置の種別（機種）に関する情報などを格納しているために、遊技場が機種変更を行うたびに、人手によってコンピュータに対する情報の入力作業を行うことが不可欠であり、したがって、かかる情報入力作業に多くの手間が掛かり、遊技場サイドの機種変更に要するコストが増加することが避けられないことにある。
【０００５】
加えて、この種のパチンコ機やパチスロ機などの遊技装置を遊技場に導入する際には、監督官庁である都道府県公安委員会（以下、公安委員会）の承認を必要としており、その都度担当官が遊技場に足と運んで申請通りの遊技装置が設置されているかの確認を行わなければならない。より詳しくは、遊技装置を新台として購入設置する場合、遊技場内の設置場所を移動する場合、チェーン店への移動設置や中古機として転売設置を行う場合において、上記の確認を要する。公安委員会は全国４７都道府県がそれぞれ独立した組織であり、各公安委員会傘下の地域管轄（所轄警察）が管轄するエリア内の遊技場からの申請内容に間違いはないか、不正がないかをチェックする作業で終わっているのが実態であり、一度チェックした後に、なにか不正が介入しても確認する術はない。また、所轄レベル、単一公安委員会レベル、また全国レベルでのこれら遊技装置の設置状況が把握できていないのが実態であるため、離れた場所から任意のタイミングで簡便且つ確実に機種の把握作業を実施できるシステムの構築が望まれていた。尤も、特許文献１のようなシステムを用いれば、インターネットを介して遊技場の機種構成を把握できるが、当該システムのように遊技場サイドに情報の入力作業を委ねることは不正を招きやすいものであり、したがって、不正のし難い、より安全性・信頼性の高いシステムの構築が望まれていた。
【０００６】
さらに、遊技装置のメーカーからすると、自身が販売した遊技装置が、先に述べたように中古市場で転売等された場合でも、リアルタイムに何処の遊技場に何台設置されているかを把握できれば、営業活動を行ううえで極めて有用な情報を得ることが可能となる。
【０００７】
本発明の目的は、遊技場サイドの情報入力作業の手間が一切必要なく、したがって遊技場サイドの機種導入コストの上昇を招くことがなく、しかも公安委員会や遊技装置メーカーによる信頼性の高い機種の確認・把握作業を離れた場所からリアルタイムで行うことができる、新規な遊技場の機種構成把握システムを提供することにある。
【課題を解決するための手段】
【０００８】
本発明は、図１ないし図４に示すごとく、遊技場に設置のパチンコ機やパチスロ機などの遊技装置１の機種構成を、インターネット２５を介して把握するためのシステムを対象とする。このシステムは、各遊技装置１のメイン基板７に搭載されて、該遊技装置１に対応する機種識別コードおよび公安委員会の型式検定番号などの機種情報を格納するＲОＭ１２と、各遊技装置１を設置するための固定枠２に装着されて、遊技場のコードナンバーを格納するＲОＭ基板４６と、インターネット２５への接続機能を担う第１のインターフェイス２６と、前記遊技装置１のメイン基板７およびＲОＭ基板４６との接続機能を担う第２のインターフェイス２７とを備える情報収集用の端末装置５と、インターネット２５上に設置されて、前記端末装置５からの情報を受ける管理サーバー３０とで構成されている。そして、端末装置５が、メイン基板７のＲОＭ１２から機種情報を読み取るとともに、ＲОＭ基板４６から遊技場のコードナンバーを読み取り、これら読み取った情報をインターネット２５を介して管理サーバー３０に向けて送信するようにしてあることを特徴とする。
【０００９】
ここで言う「遊技場」とは、ぱちんこ遊技場を意味する。「パチンコ機」とは「ぱちんこ遊技機」を意味する。「パチスロ機」とは、回胴式遊技機の俗称である。管理サーバー３０は、公安委員会が管理するものであってもよいし、遊技装置の開発メーカー（パチンコメーカーやパスチロメーカー）などが管理するものであってもよい。さらに、管理サーバー３０は、これら公安委員会やパチスロメーカー等とは別の管理会社や情報提供会社が管理するものであってもよい。第１インターフェイスは、無線接続機能（所謂無線ＬＡＮ）を含む概念である。機種情報は、ゲームプログラム、遊技音データ、画像データ等が格納される既設のＲОＭ１２に格納してもよいし、これとは別のＲОＭに格納してもよい。なお、機種情報には、上記の機種識別コードや公安委員会の型式検定番号のほかに、遊技機個別のプログラムであることを特定することのできる識別コード、遊技機別の売上情報や出玉情報も含めることができる。
【００１０】
端末装置５は、前記インターフェイス２６・２７を含む各種構成部品を本体ケース１６内に組み込んでユニット化することができる。なお、端末装置５は、図３に示すように、予め固定枠２の内部に組み付ける形態のほか、図４に示すように、携帯ユニット化してもよい。いずれの場合においても、端末装置５には、図４のような表示画面５２を設けることができる。端末装置５は、接続された遊技装置１の機種に関する履歴情報を格納する履歴記憶手段を備えており、管理サーバー３０に向けて履歴情報を送信できるようにすることができる。これは、特に端末装置５を遊技装置１毎に固定設置する場合に有用である。
【００１１】
図３に示すような端末装置５を固定枠２に装着固定する形態では、該装置５のＲОＭ２１内に遊技場のコードナンバーを格納することができる。つまり端末装置５を固定枠２に装着固定する形態では、ＲОＭ基板４６を端末装置５内に組み込むことができ、本発明はこのようなシステム形態を含んでいる。なお、図３に示すごとく端末装置５を固定枠２に装着固定する場合における該装置５の装着位置は、図１および図３に示すように固定枠２の側部に限られず、上部や下部などであってもよいことは言うまでもない。さらに、端末装置５は、固定枠２から延びるコード等を介して、該固定枠２に取り付けられていてもよい。
【発明の効果】
【００１２】
本発明に係る遊技場の機種構成把握システムでは、情報収集用の端末装置５から管理サーバー３０に向けて、メイン基板７のＲОＭ１２に格納された機種情報と、ＲОＭ基板４６に格納された遊技場のコードナンバーとを、インターネット２５を介して送信するようにした。したがって、管理サーバー３０でこれら情報をデータベース化しておけば、該管理サーバー３０にパーソナルコンピュータやＰＤＡに代表される携帯端末でアクセスするだけで、遊技場に足を運ぶことなく、機種の種別や台数などの情報を離れた場所から得ることができる。管理サーバー３０からの要求に応じて、端末装置５が情報収集および管理サーバー３０への情報送信動作を行うようにしてあると、任意のタイミングで遊技場に設置の遊技装置１の機種構成を把握することが可能となる。リアルタイムに遊技上１の機種構成を把握することもできる。当該システムを公安委員会が利用する場合には、所轄レベル、単一公安委員会レベルに限られず、全国レベルで遊技装置１の設置状況を、任意のタイミング、或いはリアルタイムで把握することができる点でも優れている。
【００１３】
また、当該システムを用いれば、遊技装置１の筐体を開けることなく、公安委員会の担当係官によるチェック作業が可能となる。すなわち、この種の遊技装置１は、固定枠２に対してヒンジを介して開閉揺動可能に設置されており、従来においては公安委員会の担当係官が承認どうりの機種が適切に導入されているか否かをチェックするためには、遊技装置１を開姿勢として、該装置１の裏面に付されている機種識別コード等を一台一台確認する必要があった。それに対して本発明に係るシステムを用いれば、遊技装置１を開姿勢とすることなく、閉姿勢のままでチェック作業を進めることができる点で優れている。
【００１４】
すなわち本発明者等は、当該システムを構成する端末装置５を、図１ないし図３に示すごとく各遊技装置１毎に固定設置する形態のほか、図４に示すごとく端末装置５をポータブルタイプとすることを予定している。前者の図１ないし図３に示すシステム形態を採用すれば、公安委員会の担当係官は、遊技場に一切足を運ぶことなく、先のチェック作業を進めることができる。勿論、遊技装置１の筐体を開ける手間もいらない。後者の図４に示すシステム形態では、チェック作業を行うためには、担当係官は遊技場に一応は足を運ぶ必要はあるものの、固定枠２のコネクタ３５に端末装置５のコネクタ２９を連結接続するだけで、チェック作業を格段に迅速に進めることができる点で優れている。つまり、固定枠２のコネクタ３５に端末装置５のコネクタ２９を連結接続するだけで、端末装置５の表示画面５２に機種情報が表示されるため、遊技装置１を閉姿勢としたままで、チャック作業を進めることができる点で優れている。勿論図４に示すシステム形態においては、遊技場サイドに端末装置５を与えて、該装置５を使って公安委員会サイドに向かって各種情報を送信させることで、離れた場所からチェック作業および機種の確認・把握作業を進めるようにしてもよい。
【００１５】
端末装置５に機種情報や遊技場のコードナンバーの自動収集機能を与えてあると、従来形態のコンピュータを使ったシステムでは不可避であった、該コンピュータへの情報入力作業を完全に廃することができる。したがって、遊技場サイドの機種導入コストの上昇を招くおそれがなく、当該システムはその点でも優れている。加えて、全ての情報収集が人手に委ねることなく端末装置５によって自動的に行われるようにしてあると、誤情報が入力されるおそれの無い、信頼性に優れたシステムを構築できる。何よりも、意図的に誤った情報を入力するなどの不正が行われ難く、安全性・信頼性に富んだシステムを構築できる。このことは特に、当該システムを利用する監督官庁である警察庁、公安委員会にとって、極めて有用な作用効果であると言える。
【００１６】
機種情報を遊技装置１のメイン基板７のＲОＭ１２に、遊技場のコードナンバーを遊技装置１の設置用の固定枠２に装着されたＲОＭ基板４６に格納してあると、全ての情報を遊技装置１のＲОＭ１２等に格納する形態に比べて、遊技装置１の機種変更（台入れ替え）を格段にスムーズに進めることができる。つまり、遊技場のコードナンバーが遊技装置１内に格納される形態では、該遊技装置１に対するコードナンバーの情報入力作業が必要となるが、本発明に係る形態では当該入力作業が一切不要となる点で優れている。このことは、中古市場で頻繁に転売される遊技装置１の分野においては、極めて有用な作用効果であると言える。図３のように、端末装置５を固定枠２に固定設置する形態では、予め該装置５のＲОＭ２１内に遊技場のコードナンバーを格納しておくことも考えられるが、本発明のようにコードナンバーを固定枠２に装着されたＲОＭ基板４６に格納しておいたほうが、端末装置５を販売する際にコードナンバーの入力作業が一切不要となる点で、端末装置５の製造コストの低減化、および実用利便性の向上を図るうえで優れている。
【００１７】
図３に示すシステム構成では、既設の遊技装置１の近傍に（具体的には固定枠２に）、端末装置５とＲОＭ基板４６とを設置するだけで、遊技場に簡便且つ低コストに当該システムを追加導入することが可能となる。ＲОＭ基板４６を端末装置５内に組み込む場合には、端末装置５のみを固定枠２に設置すれば足りる。この場合において、特に端末装置５がユニット化されていると、端末装置５の設置作業をスムーズに行え、システムの導入コストの低減化を図ることができる。
【００１８】
先に述べたように、端末装置５は遊技装置１毎に固定設置される形態（図１ないし図３参照）に限られず、図４に示すように、固定枠２に端末装置５を接続するためのコネクタ３５を設けておき、必要に応じて、該コネクタ３５にポータブルタイプの端末装置５を接続して、情報収集作業を実施する形態を採ることができる。この場合には、遊技場に当該システムを追加導入するためには、実質的にＲОＭ基板４６を固定枠２に設置すれば足りる。
【発明を実施するための最良の形態】
【００１９】
図１ないし図３に本発明に係る遊技場の機種構成把握システムの実施形態を示す。図１ないし図３において、符号１はパチンコ機（遊技装置）を、符号２はパチンコ機１が固定設置される玉貸装置３付きの固定枠を、符号５は固定枠２に装着された情報収集用の端末装置（以下、単に端末装置と記す）を示す。パチンコ機１は、一定条件で「当たり状態」となる所謂フィーバー台と称される遊技装置であって、図１に示すごとく、パチンコ機１の全体を制御して、所定の条件下で「当たり信号」を発生するメイン基板７と、メイン基板７からの制御信号を受けて、パチンコ機１の前面に設けられた液晶画面を制御するビデオカード９と、メイン基板７からの制御信号を受けて、スピーカから出音される音声を制御するサウンドカード１０と、「当たり状態」に至ったときの等において、遊技球の払い球動作を担う賞球装置１１などを備える。
【００２０】
メイン基板７には、ゲームプログラム、遊技音データ、画像データなどを格納するＲОＭ１２と、該ＲОＭ１２に格納のゲームプログラムに基づいてパチンコ機を制御し、所定の条件下で当たり信号を発生するＣＰＵ１３と、プログラムの実行領域となるＲＡＭ１５などが実装されている。そのうえで本実施形態においては、ＲОＭ１２には、上述のプログラム等のほかに、パチンコ機１に固有の機種識別コードと、公安委員会の型式検定番号からなる機種情報を格納してある点が着目される。
【００２１】
図３に示すごとく、情報収集用の端末装置５は、プラスチック製の角箱状の本体ケース１６を基体とするものであり、本体ケース１６の前面に張り出し状に形成された前蓋１７を介して、該本体ケース１６を固定枠２の内部で収納するハウジング１９にビス止め固定されている。図１に示すごとく、本体ケース１６の内部には、端末装置５の全体の制御を担うＣＰＵ２０、制御プログラムが格納されたＲОＭ２１、プログラムの実行領域となるＲＡＭ２２のほか、ルータ２３を介してインターネット２５への接続機能を担うインターフェイス（第１インターフェイス）２６やパチンコ機１のメイン基板７や後述のＲОＭ基板４６との接続機能を担うインターフェイス（第２インターフェイス）２７などが組み付けられている。これら第１および第２のインターフェイス２６・２７は、本体ケース１６の後端面に設けられたコネクタ２９（図３参照）を介して、メイン基板７やＲОＭ基板４６、さらにインターネット２５上の管理サーバー３０等との間で各種情報を送受信できるようになっている。なお、端末装置５には、不図示の電力コードを介して商用電源から電力が供給されている。
【００２２】
図３に示すごとく、ハウジング１９は、前方側に端末装置５の装填口となる開口を有する角皿状のプラスチック成形品であり、その側壁３１から外方向に向かって張り出し形成されたフランジ３２を介して、個体枠２の前面板の裏面側に、裏打ち状にビス止め固定されている。なお、図３において、符号３３は、固定枠２の前面版に装着されて、ハウジング１９を固定するためのビスを隠すための化粧パネルを示す。ハウジング１９の奥端面には、端末装置５側のコネクタ２９を連結するためのコネクタ３５が固定されており、該端末装置５をハウジング１９内に前方側から差し込み装填したとき、両コネクタ２９・３５どうしが雌雄状に抜け止め不能に連結される仕様である。
【００２３】
コネクタ３５の後方側には、連結ケーブル３６が装着されている。この連結ケーブル３６は、端末装置５とパチンコ機１のメイン基板７とを繋ぐコード３７が接続される第１のケーブル３９と、端末装置５とルータ２３とを繋ぐＬＡＮケーブル４０が接続される第２のケーブル４１と、端末装置５とＲОＭ基板４６とを繋ぐコード４２が接続される第３のケーブル４３とを備える。これらコード３７・４２やＬＡＮケーブル４０と、ケーブル３９・４１・４３とは、コネクタ４５を介して着脱可能に連結されている。
【００２４】
端末装置５の下方位置に係る固定枠２の前面板の裏面には、ＲОＭ基板４６がビス止め固定されている。このＲОＭ基板４６に搭載されたＲОＭ４７には、予め遊技場毎に割り振られた、コードナンバーが格納されている。
【００２５】
以上のような構成からなる遊技場の機種把握システムでは、情報収集用の端末装置５は、管理サーバー３０からの要求に応じて、パチンコ機１のＲОＭ１２に格納された機種識別コードや承認ナンバーなどの機種情報、およびＲОＭ基板４６のＲОＭ４７に格納された遊技場のコードナンバーを読み取り、これら情報をルータ２３およびインターネット２５を介して管理サーバー３０に向けて送信する。管理サーバー３０からの要求がなくとも、一日に一度や週に一度のように、定期的に管理サーバー３０に向けて情報を送信するようにしてもよい。また、端末装置５のＲОＭ２１に、接続されたパチンコ機１の機種に関する履歴情報が格納されることとして、当該履歴情報を管理サーバー３０に向けて送信するようにしてもよい。これによれば、監督官庁やメーカーは、遊技装置が過去に導入してきたパチンコ機１の種別を把握することができる。当該情報は、管理や営業活動を行う際に、極めて有用な情報である。
【００２６】
図４に、本発明に係るシステムの別実施形態を示す。そこでは、端末装置５を各遊技装置５毎に設置されていた固定タイプに替えて、携帯可能なポータブルタイプとしてある点が、先の図示例と相違する。図４において符号５０は、ハウジング１９に装着されたコネクタ３５を覆うカバーを示す。このカバー５０は、図示例のように、コネクタ３５が表面に露出する開姿勢と、コネクタ３５が露出しない閉姿勢との間で、不図示のヒンジを介して開閉揺動可能に構成されており、常態においては閉姿勢とされている。そして、公安委員会の担当係官がチェック作業を行う際には、図４のようにカバー５０が開姿勢とされてコネクタ３５が露出され、該コネクタ３５に端末装置５のコネクタ２９を差し込み接続できる仕様である。符号５１は、コネクタと端末装置５との間を繋ぐコードである。符号５２は、端末装置の前面に設けられた液晶表示画面である。それ以外は、先の図１ないし図３と同様であるので、同一部材には同一符号を付して、その説明を省略する。なお、端末装置５には、インターネット２５（図１参照）への無線接続機能が付与されている。
【図面の簡単な説明】
【００２７】
【図１】本発明に係る遊技場の機種構成把握システムのシステム構成図である。
【図２】システムを構成する端末装置が装着されたパチンコ機の前面図である。
【図３】端末装置の装着形態を説明するための要部の縦断側面図である。
【図４】本発明に係るシステムの別実施形態を示す図である。
【符号の説明】
【００２８】
１  遊技装置
２  固定枠
５  情報収集用の端末装置
７  遊技装置のメイン基板
１２  ＲОＭ
２５  インターネット
２６  第１のインターフェイス
２７  第２のインターフェイス
３０  管理サーバー
４６  ＲОＭ基板
【図１】
2006158714.tif 000003
【図２】
2006158714.tif 000004
【図３】
2006158714.tif 000005
【図４】
2006158714.tif 000006